(57)【要約】  電気自動車またはハイブリッド自動車のためのバッテリ充電器（１）は、自動車に設定可能で、１つのハウジング室を画定し、かつ１本の電気接地ケーブル（４）によって１つの接地電位部に接続された１つの接地コネクタ（３）を備えた、容器体（２）と、ハウジング室の内側に収容され、自動車の１つの電気バッテリに接続可能で、このバッテリを再充電するよう構成された、１つの電子装置とを備える。コネクタ（３）は、電気接地ケーブル（４）の保持手段（５）を備え、電気接地ケーブル（４）の位置をブロックするよう適合される。【選択図】図１
2021530193.tif 000002
【特許請求の範囲】
【請求項１】
電気自動車またはハイブリッド自動車のためのバッテリ充電器（１）であって、
自動車に設定可能で、少なくとも１つのハウジング室を画定し、かつ少なくとも１本の電気接地ケーブル（４）によって少なくとも１つの接地電位部に接続された少なくとも１つの接地コネクタ（３）を備えた、少なくとも１つの容器体（２）と、
前記ハウジング室の内側に収容され、前記自動車の少なくとも１つの電気バッテリに接続可能で、バッテリを再充電するよう構成された、少なくとも１つの電子装置と
を備え、
コネクタ（３）は、前記電気接地ケーブル（４）の位置をブロックするよう適合された、前記電気接地ケーブル（４）の保持手段（５）を備えることを特徴とする、バッテリ充電器（１）。
【請求項２】
前記保持手段（５）は、前記電気接地ケーブル（４）を係止するための弾性係止手段（６ａ、６ｂ）を備えることを特徴とする、請求項１に記載のバッテリ充電器（１）。
【請求項３】
前記保持手段（５）は複数の弾性係止手段（６ａ、６ｂ）を備え、複数の前記弾性係止手段（６ａ、６ｂ）は、複数の前記電気接地ケーブル（４）の位置を固定するよう適合されることを特徴とする、請求項１または２に記載のバッテリ充電器（１）。
【請求項４】
弾性係止手段（６ａ、６ｂ）は、少なくとも一対の弾性要素（７）を備え、一対の前記弾性要素（７）は、少なくとも１つの締付口（８）を画定するために互いに実質的に対向して配置され、前記締付口（８）の内側に電気ケーブル（４）を挿入できるよう、互いに対して離れるよう弾性的に変形可能で、前記弾性要素（７）は、前記電気ケーブル（４）が前記締付口（８）から外れるのを防止するために、互いに弾性的に接近することを特徴とする、請求項１〜３のうちいずれか一項に記載のバッテリ充電器（１）。
【請求項５】
より大きいか、またはより小さいサイズの前記電気接地ケーブル（４）を係止するために、弾性係止手段（６ａ、６ｂ）のうちの少なくとも一方は、前記弾性係止手段（６ａ、６ｂ）の他方によって画定された締付口（８）よりも大きいか、または小さい締付口（８）を画定することを特徴とする、請求項１〜４のうちいずれか一項に記載のバッテリ充電器（１）。
【請求項６】
弾性要素（７）は、少なくとも１つの細長い部分（９）と、前記細長い部分（９）に関連付けられ、締付口（８）の内側に向けて突出して配置された、少なくとも１つの先端係止部分（１０）とを備え、一対の前記弾性要素（７）の先端部分（１０）は、互いに対して実質的に対向して配置され、一方は他方に向けて延び、前記電気接地ケーブル（４）が前記締付口（８）の内側に挿入された後に、電気ケーブル（４）を嵌め込むことを特徴とする、請求項１〜５のうちいずれか一項に記載のバッテリ充電器（１）。
【請求項７】
先端部分（１０）は、締付口（８）の内側に向けて近付き合い、マウスピースを画定する少なくとも１つの傾斜面（１２）を備え、前記傾斜面（１２）は、前記電気接地ケーブル（４）を前記締付口（８）の内側に挿入するのを容易にし、弾性要素（７）の弾性的変形を生じさせるために、押圧されるよう適合されることを特徴とする、請求項１〜６のうちいずれか一項に記載のバッテリ充電器（１）。
【請求項８】
先端部分（１０）は、締付口（８）の内側に向けて面し、かつ前記締付口（８）の内側に収容された電気ケーブル（４）に対して当接するよう適合された、少なくとも１つの当接面（２３）を備え、前記電気ケーブル（４）が外れるのを防止することを特徴とする、請求項１〜７のうちいずれか一項に記載のバッテリ充電器（１）。
【請求項９】
前記コネクタ（３）に対して取り外し可能な、前記保持手段（５）の装着手段（１３、１４）を備えることを特徴とする、請求項１〜８のうちいずれか一項に記載のバッテリ充電器（１）。
【請求項１０】
装着手段（１３、１４）は、前記コネクタ（３）及び前記保持手段（５）のうちの一方の上に作られた、少なくとも１つの嵌め込み体（１３）と、前記コネクタ（３）及び前記保持手段（５）のうちの他方の上に作られ、前記嵌め込み体（１３）を嵌め込んで  み合うよう適合された、少なくとも１つの嵌め込み溝（１４）とを備えることを特徴とする、請求項１〜９のうちいずれか一項に記載のバッテリ充電器（１）。
【請求項１１】
嵌め込み溝（１４）は、少なくとも一対の弾性体（１５）を備え、前記弾性体（１５）は互いに実質的に対向して配置され、前記嵌め込み溝（１４）の内側に嵌め込み体（１３）を嵌め込むのを可能にするために、互いに対して離れるよう弾性的に変形可能で、前記弾性体（１５）は、前記嵌め込み体（１３）が前記嵌め込み溝（１４）から外れるのを防止するために、互いに弾性的に接近することを特徴とする、請求項１〜１０のうちいずれか一項に記載のバッテリ充電器（１）。
【請求項１２】
前記コネクタ（３）は、前記電気接地ケーブル（４）の少なくとも１つの電気接続要素（１９ａ、１９ｂ）と、少なくとも１つの接続端子（２０ａ、２０ｂ）とを備え、前記接続端子（２０ａ、２０ｂ）は、取り外し可能な方法で接続要素（１９ａ、１９ｂ）に連結され、前記電気接地ケーブル（４）に電気的に関連付けられ、前記接続端子（２０ａ、２０ｂ）は、前記電気接地ケーブル（４）の動きを係止するために、弾性係止手段（６ａ、６ｂ）によって固定されることを特徴とする、請求項１〜１１のうちいずれか一項に記載のバッテリ充電器（１）。
【請求項１３】
前記コネクタ（３）に対して取り外し可能な、接続要素（１９ａ、１９ｂ）の固定手段（２１、２２）を備えることを特徴とする、請求項１〜１２のうちいずれか一項に記載のバッテリ充電器（１）。
【請求項１４】
固定手段（２１、２２）は、
前記コネクタ（３）及び前記保持手段（５）のうちの少なくとも一方に作られ、接続要素（１９ａ、１９ｂ）が挿入される、少なくとも１つの貫通穴（２１）と、
前記コネクタ（３）及び前記保持手段（５）のうちの他方に作られ、前記貫通穴（２１）の内側に挿入された前記接続要素（１９ａ、１９ｂ）を支持するよう適合され、前記保持手段（５）が装着手段（１３、１４）を介して前記コネクタ（３）に固定されたときに、前記接続要素（１９ａ、１９ｂ）が前記貫通穴（２１）を外れるのを防止する、少なくとも１つの支持要素（２２）と
を備えることを特徴とする、請求項１〜１３のうちいずれか一項に記載のバッテリ充電器（１）。
【発明の詳細な説明】
【技術分野】
【０００１】
本発明は、電気自動車またはハイブリッド自動車のためのバッテリ充電器に関する。
【背景技術】
【０００２】
電気自動車またはバイブリッド自動車のための、多くのバッテリ充電器が知られており、例えばエンジン、制御ユニット、ライトなどの様々な電子デバイスに電力を供給するよう、このような自動車に一般的に適応された電気バッテリを充電するために使用される。
【０００３】
詳細には、このタイプのバッテリ充電器には、バッテリを再充電するための電子装置が設けられ、電子装置自体の容器体を用いて、自動車の内側における電子装置の設定を防護し、かつ容易にすることを目的とする。
【０００４】
加えて、このタイプの容器体は、容器体に特定の抵抗を与えるため、及び同時に電子装置の動作に悪影響を与えかねない任意の電磁妨害から電子装置を遮断するために、一般的に金属材料で作られる。
【０００５】
しかし安全性の理由から、このタイプの容器体は、好適な電気接地ケーブルによって、電気接地電位部に電気的に接続させなければならない。
【０００６】
このように、容器体が、例えば電子装置の故障のためなど、意図せず電圧が加えられた場合、電気接地ケーブルは電圧を放電する。さもなければ、容器体に接触すべき使用者に危険が及ぶ場合がある。
【０００７】
実際、公知の容器体は一般的に、電気接地ケーブルによって電気的に接地電位部に接続され得る、少なくとも１つの接地コネクタを備える。
【０００８】
詳細には、一般的に接地コネクタは接続要素を備え、そこに電気接地ケーブルが電気的に接続され、かつ機械的に固定される。
【０００９】
一般的に、接続要素は、コネクタと一体で作られたネジを備え、そこに電気接地ケーブルが特別の電気端子によって接続される。
【００１０】
加えて、接続要素はナットを備え、それはネジにネジ留めされた後で、電気端子及び次にケーブルを、機械的にネジ自体に固定する。
【００１１】
しかし、このタイプのバッテリ充電器は、接地コネクタへ電気接地ケーブルを接続することについて、改善の対象となる。
【００１２】
電気端子を接続要素に固定する間、電気接地ケーブルは、例えば締付ネジに沿ってネジ留めされた締付ナットによって端子に加えられた摩擦のために、自由に動く。
【００１３】
このため、電気接地ケーブルを締付ネジに固定する作業をする専門のオペレータは、確実に手動でケーブル自体を保持しなければならない。このケーブルは、締付ナットをネジ留めする間に意図せず動かされる場合があり、例えばバッテリ充電器の他の構成要素とぶつかることによって、損傷を受ける危険がある。
【００１４】
加えて、この手動によるオペレータの保持作業は、バッテリ充電器の設定時間を大幅に増加させる。
【発明の概要】
【発明が解決しようとする課題】
【００１５】
本発明の主な目的は、電気接地ケーブルを手動で保持する必要なく、接地コネクタを電気接地ケーブルに容易に接続するのを可能にする、電気自動車またはハイブリッド自動車のためのバッテリ充電器を考案することである。
【００１６】
本発明のさらなる目的は、損傷させる危険なく、安全な方法で接地ケーブルを保持するバッテリ充電器を考案することである。
【００１７】
本発明の別の目的は、使用が簡単、合理的、容易、効果的で、低コストの解決策内で、言及した先行技術の欠点を克服できる、電気自動車またはハイブリッド自動車のためのバッテリ充電器を考案することである。
【課題を解決するための手段】
【００１８】
上述の目的は、請求項１の特徴を有する、電気自動車またはハイブリッド自動車のための本バッテリ充電器によって実現される。
【００１９】
本発明の他の特徴及び利点は、添付の図表において表示による非限定の例を例示した、好ましいが排他的ではない、電気自動車またはハイブリッド自動車のためのバッテリ充電器の実施形態の説明から、より明確になる。
【図面の簡単な説明】
【００２０】
【図１】本発明によるバッテリ充電器の不等角投影図である。
【図２】本発明によるバッテリ充電器の、いくつかの要素の不等角投影図である。
【図３】本発明によるバッテリ充電器の、接地ステップを示す不等角投影図である。
【図４】本発明によるバッテリ充電器の、接地ステップを示す不等角投影図である。
【図５】本発明によるバッテリ充電器の分解組立図である。
【発明を実施するための形態】
【００２１】
これらの図面を詳細に参照すると、参照番号１は全体的に、電気自動車またはハイブリッド自動車のためのバッテリ充電器を示す。
【００２２】
電気自動車またはハイブリッド自動車のためのバッテリ充電器１は、
−自動車に設定可能で、少なくとも１つのハウジング室を画定し、かつ少なくとも１本の電気接地ケーブル４によって少なくとも１つの接地電位部に接続される少なくとも１つの接地コネクタ３を備えた、少なくとも１つの容器体２と、
−ハウジング室の内側に収容され、自動車の少なくとも１つの電気バッテリに接続可能で、このバッテリを再充電するよう構成された、少なくとも１つの電子装置と
を備える。
【００２３】
詳細には、コネクタ３は、電気接地ケーブル４の位置をブロックするよう適合された、電気接地ケーブル４の保持手段５を備える。
【００２４】
好ましくは、図１に示されるように、コネクタ３は細長い本体であり、容器体２の外側へ延び、終端部に保持手段５を有する。
【００２５】
より詳細には、保持手段５は電気接地ケーブル４の弾性係止手段６ａ、６ｂを備える。
【００２６】
図面に示される実施形態を詳細に参照すると、保持手段５は、複数の電気接地ケーブル４の位置を固定するよう適合された、複数の弾性係止手段６ａ、６ｂを備える。
【００２７】
好ましくは、保持手段５は、第１の電気接地ケーブル４の位置を固定する第１の弾性係止手段６ａと、第２の電気接地ケーブル４の位置を固定する第２の弾性係止手段６ｂとを備える。
【００２８】
しかし、保持手段５が異なる数の弾性係止手段６ａ、６ｂを備えた、代替の実施形態を排除することはできない。
【００２９】
好ましくは、保持手段５は、実質的にプレート形状の支持体１１を備え、その上に弾性係止手段６ａ、６ｂが作られる。
【００３０】
有利には、弾性係止手段６ａ、６ｂは、少なくとも一対の弾性要素７を備える。弾性要素７は、少なくとも１つの締付口８を画定するために互いに実質的に対向して配置され、締付口８の内側に電気ケーブル４を挿入できるよう、互いに対して離れるよう弾性的に変形可能である。弾性要素７は、電気ケーブル４が締付口８から外れるのを防止するために、互いに弾性的に接近する。
【００３１】
詳細には、弾性要素７は、少なくとも１つの細長い部分９と、細長い部分９に関連付けられ、かつ締付口８の内側に向けて突出して配置された、少なくとも１つの先端係止部分１０と、を備える。
【００３２】
加えて、一対の弾性要素７の先端部分１０は、一方から他方に向けて延びるよう実質的に互いに対向して配置され、電気ケーブル４が締付口８に挿入された後に電気ケーブル４を嵌め込む。
【００３３】
好ましくは、実質的にＵ型断面を有する締付口８の境界を定めるように、細長い部分９は、支持体１１に関連付けられ、かつ支持体１１に対して実質的に直交して配置された、２つの平坦な本体である。
【００３４】
さらに、細長い部分９は、電気ケーブル４を締付口８の内側に収容できるよう、電気ケーブル４の径と実質的に等しい距離だけ、互いから離隔される。
【００３５】
他方で先端部分１０は、図２に示されるように、好ましくは締付口８の内側に向けて突出する本体であり、関連の弾性要素７に、支持体１１から最も離れて動くポイントで関連付けられる。
【００３６】
詳細には、先端部分１０は、開口部を画定する締付口８の内側に向けて近付き合う、少なくとも１つの傾斜面１２を備える。
【００３７】
さらに、傾斜面１２は、締付口８の内側における電気接地ケーブル４の挿入を容易にするよう、かつ弾性要素７の弾性的変形を生じさせるように、押圧されるように適合される。
【００３８】
有利には、傾斜面１２は、電気接地ケーブル４の挿入中に、電気接地ケーブル４によって締付口８の内側において押圧され得る。
【００３９】
詳細には、弾性要素７の傾斜面１２は、図２に示されるように、締付口８の断面よりも狭い断面を有する開口部を画定する。
【００４０】
換言すると、傾斜面１２は、締付口８のボトルネックを実質的に画定する。
【００４１】
好ましくは、傾斜面１２は、電気ケーブル４が締付口８の内側で摺動するのを容易にするよう適合された誘導部を画定するために、対応する弾性要素７から始まり、支持体１１に向けて近付き合うよう傾けて配置される。
【００４２】
有利には、先端部分１０は、締付口８の内側に向けて面し、かつ締付口８の内側に収容された電気ケーブル４に対して当接するよう適合された、少なくとも１つの当接面２３を備え、電気ケーブル４が外れるのを防止する。
【００４３】
好ましくは、当接面２３は、支持体１１と実質的に平行に配置される。
【００４４】
図面に示された実施形態によると、当接面２３及び傾斜面１２は互いに隣接して、実質的に鋸歯形状の先端部分１０を形成する。
【００４５】
有利には、より大きいか、またはより小さいサイズの電気接地ケーブル４を係止するよう、弾性係止手段６ａ、６ｂのうちの少なくとも一方は、弾性係止手段６ａ、６ｂの他方によって画定された締付口８よりも大きいか、または小さい締付口８を画定する。
【００４６】
詳細には、より小さい電気接地ケーブル４をブロックするよう、第１の弾性係止手段６ａには、第２の弾性係止手段６ｂの一対の弾性要素７よりも小さい、一対の弾性要素７が設けられる。
【００４７】
図面に示された実施形態を詳細に参照すると、第１の弾性係止手段６ａの弾性要素７は、第２の係止手段６ｂの弾性要素７が位置付けられた同様箇所の距離よりも、短い距離で配置される。
【００４８】
さらに、第１の弾性係止手段６ａの弾性要素７は、第２の弾性係止手段６ｂの弾性要素７の高さよりも低い。
【００４９】
換言すると、第１の弾性係止手段６ａの弾性要素７は、支持体１１から、第２の弾性係止手段６ｂの弾性要素７よりも短い距離だけ延びる。
【００５０】
このように、第１の弾性係止手段６ａは、第２の弾性係止手段６ｂの弾性要素７における当接面２３によって保持されないサイズの電気ケーブル４を、保持することができる。
【００５１】
有利には、バッテリ充電器は、コネクタ３に対して取り外し可能な、保持手段５の装着手段１３、１４を備える。
【００５２】
詳細には、装着手段１３、１４は、コネクタ３及び保持手段５のうちの一方の上に作られた、少なくとも１つの嵌め込み体１３と、コネクタ３及び保持手段５のうちの他方の上に作られ、嵌め込み体１３に嵌め込んで  み合うよう適合された、少なくとも１つの嵌め込み溝１４とを備える。
【００５３】
好ましくは、嵌め込み溝１４は、保持手段５の支持体１１上に作られ、嵌め込み体１３はコネクタ３上に作られる。
【００５４】
しかし、嵌め込み溝１４がコネクタ３上に作られ、嵌め込み体１３が支持体１１上に作られる、バッテリ充電器１の代替の実施形態を排除することはできない。
【００５５】
有利には、嵌め込み溝１４は、少なくとも一対の弾性体１５を備える。それらは、互いに実質的に対向して配置され、嵌め込み溝１４の内側で嵌め込み体１３を嵌め込むのを可能にするよう、互いから離れるよう弾性的に変形可能である。弾性体１５は、嵌め込み体１３が嵌め込み溝１４から外れるのを防止するために、互いに弾性的に接近する。
【００５６】
図面の実施形態に示されるように、弾性体１５は、実質的に細長い形状を有し、弾性要素７の延長方向に対して実質的に直交する延長方向に沿って、支持体１１の側方に延びる。
【００５７】
さらに弾性体１５は、嵌め込み溝１４の内側に延びたブロック部分１６を備え、嵌め込み体１３は、ブロック部分１６を収納するよう適合された実質的に反対側にある一対のブロックスロット１７を備える。
【００５８】
好都合には、弾性体１５は、嵌め込み体１３が嵌め込み溝１４の内側に挿入されるときに、嵌め込み体１３に対して当接するよう適合された、少なくとも１つの誘導部分１８を備える。
【００５９】
実際、嵌め込み体１３が嵌め込み溝１４の内側に挿入されるとき、嵌め込み体１３は、弾性体１５を弾性的に変形させて、ブロック部分１６がブロックスロット１７に配置されるまで、ブロック部分１６に接触して摺動することによって分割し、弾性体１５が弾性的に戻り、対応したブロックスロット１７の内側にブロック部分１６を押し込むことによって、それらは装着される。
【００６０】
このように、保持手段５を、コネクタ３に対して容易に脱着させることができ、例えば異なる寸法の締付口８を画定する弾性係止手段６ａ、６ｂが設けられた保持手段５と、交換することができる。
【００６１】
有利には、コネクタ３は、電気接地ケーブル４の少なくとも１つの電気接続要素１９ａ、１９ｂと、少なくとも１つの接続端子２０ａ、２０ｂとを備える。接続端子２０ａ、２０ｂは、取り外し可能な方法で接続要素１９ａ、１９ｂに連結され、電気接地ケーブル４に電気的に関連付けられ得る。接続端子２０ａ、２０ｂは、電気接地ケーブル４の動きを係止するために、弾性係止手段６ａ、６ｂによって固定される。
【００６２】
有利には、接続要素１９ａ、１９ｂは、ネジ山付き本体１９ａ、及びネジ山付き本体１９ａにネジ留めすることができるナットネジ本体１９ｂを備え、接続端子２０ａ、２０ｂをそこに固定する。
【００６３】
詳細には、接続端子２０ａ、２０ｂは、好ましくは導電性チップである。
【００６４】
さらに、接続端子２０ａ、２０ｂには、電気接地ケーブル４に固定された第１の固定端部２０ａと、ネジ山付き本体１９ａに固定された第２の固定端部２０ｂとが設けられる。
【００６５】
好ましくは、第１の固定端部２０ａは、導体ワイヤまたは電気接地ケーブル４のワイヤに機械的に、例えば締付ツールなどによって固定された締付具であり、第２の固定端部２０ｂは、ネジ山付き本体１９ａに沿って適応された締付リングである。
【００６６】
このように、締付リングがネジ山付き本体１９ａに沿って適応された後、ナットネジ本体１９ｂは、ネジ山付き本体自体に沿ってネジ留めされ、締付リングの位置を係止する。
【００６７】
好都合には、図３及び図４に示されるように、接続端子２０ａ、２０ｂは、弾性要素７の間における締付口８の内側に適応される。
【００６８】
このように、弾性要素７は、電気ケーブル４の本体ではなく接続端子２０ａ、２０ｂに対して当接し、電気ケーブル４の位置を固定する。さもなければ、電気接地ケーブル４は、弾性要素自体に対して損傷を受ける場合がある。
【００６９】
このように、電気ケーブル４の動きは、接続端子２０ａ、２０ｂをブロックすることによって防止される。
【００７０】
詳細には、第１の固定端部２０ａは締付口８の内側でブロックされ、同時に締付リングは接続要素１９ａ、１９ｂによってブロックされる。
【００７１】
好都合には、バッテリ充電器１は、コネクタ３に対して取り外し可能な、接続要素１９ａ、１９ｂの固定手段２１、２２を備える。
【００７２】
詳細には、固定手段２１、２２は、
−コネクタ３及び保持手段５のうちの少なくとも一方に作られ、接続要素１９ａ、１９ｂがその内側に挿入される、少なくとも１つの貫通穴２１と、
−コネクタ３及び保持手段５のうちの他方に作られ、貫通穴２１の内側に挿入された接続要素１９ａ、１９ｂを支持するよう適合され、保持手段５が装着手段１３、１４を介してコネクタ３に固定されたときに、接続要素１９ａ、１９ｂが貫通穴２１から外れるのを防止する、少なくとも１つの支持要素２２と
を備える。
【００７３】
好ましくは、貫通穴２１はネジ山付きタイプであり、コネクタ３の本体を通過する。
【００７４】
詳細には、貫通穴２１は、図５に示めされるように、嵌め込み体１３を貫通して作られる。
【００７５】
他方でネジ付き本体１９ａは、好ましくはコネクタ３から突出するよう貫通穴２１の内側にネジ留めされるよう適合された、締付ネジである。
【００７６】
好ましくは、支持要素２２は、支持体１１に関連付けられた平坦部分であり、支持要素２２は、支持体１１から側方に、実質的に弾性体１５に平行かつ対向して延びる
【００７７】
詳細には、支持要素２２は、両弾性体１５から所定の距離だけ等距離にある。
【００７８】
このように、保持手段５がコネクタ３に装着されたとき、支持要素２２はネジ山付き本体１９ａの下方に配置され、それによってネジ山付き本体１９ａが貫通穴２１から外れるのを防止する。
【００７９】
実際、説明した本発明は、意図した目的を実現することが判明した。
【００８０】
詳細には、保持手段は、特に電気ケーブルの設定中に、電気ケーブルが動くのを制限するのを可能にすることよって、最適な電気接続を維持する。
【００８１】
加えて、複数の弾性手段は、複数の電気ケーブルを接続させるのを可能にする。
【００８２】
さらに、コネクタへの保持デバイスの装着手段は、例えば弾性要素が損傷を受けた際に、コネクタ全体を交換する必要なく、弾性係止手段を容易に交換するのを可能にする。
【図１】
2021530193.tif 000003
【図２】
2021530193.tif 000004
【図３】
2021530193.tif 000005
【図４】
2021530193.tif 000006
【図５】
2021530193.tif 000007
【国際調査報告】
2021530193.tif 000008
2021530193.tif 000009
2021530193.tif 000010